【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
配列番号：１で表されるアミノ酸配列と同一もしくは実質的に同一のアミノ酸配列を含有するポリペプチドもしくはそのアミドもしくはそのエステルまたはその塩の活性を阻害する化合物またはその塩を含有してなる上部消化管疾患の予防・治療剤。
【請求項２】
（i）配列番号：１で表されるアミノ酸配列と同一もしくは実質的に同一のアミノ酸配列を含有するポリペプチドもしくはそのアミドもしくはそのエステルまたはその塩に対する抗体、または（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩に対する抗体を含有してなる上部消化管疾患の予防・治療剤。
【請求項３】
（i）配列番号：１で表されるアミノ酸配列と同一もしくは実質的に同一のアミノ酸配列を含有するポリペプチドもしくはそのアミドもしくはそのエステルまたはその塩をコードするポリヌクレオチドの、または（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩をコードするポリヌクレオチドの塩基配列に相補的もしくは実質的に相補的な塩基配列またはその一部を含有するアンチセンスポリヌクレオチドを含有してなる上部消化管疾患の予防・治療剤。
【請求項４】
配列番号：１で表されるアミノ酸配列と同一もしくは実質的に同一のアミノ酸配列を含有するポリペプチドもしくはそのアミドもしくはそのエステルまたはその塩の活性を阻害する化合物またはその塩を含有してなる胃酸分泌抑制剤。
【請求項５】
配列番号：１で表されるアミノ酸配列と同一もしくは実質的に同一のアミノ酸配列を含有するポリペプチドもしくはそのアミドもしくはそのエステルまたはその塩の活性を促進する化合物またはその塩を含有してなる消化不良症、骨代謝障害または貧血症の予防・治療剤。
【請求項６】
配列番号：１で表されるアミノ酸配列と同一もしくは実質的に同一のアミノ酸配列を含有するポリペプチドもしくはそのアミドもしくはそのエステルまたはその塩を含有してなる消化不良症、骨代謝障害または貧血症の予防・治療剤。
【請求項７】
配列番号：１で表されるアミノ酸配列と同一もしくは実質的に同一のアミノ酸配列を含有するポリペプチドもしくはそのアミドもしくはそのエステルまたはその塩をコードするポリヌクレオチドを含有してなる消化不良症、骨代謝障害または貧血症の予防・治療剤。
【請求項８】
配列番号：１で表されるアミノ酸配列と同一もしくは実質的に同一のアミノ酸配列を含有するポリペプチドもしくはそのアミドもしくはそのエステルまたはその塩の活性を促進する化合物またはその塩を含有してなる胃酸分泌促進剤。
【請求項９】
配列番号：１で表されるアミノ酸配列と同一もしくは実質的に同一のアミノ酸配列を含有するポリペプチドもしくはそのアミドもしくはそのエステルまたはその塩を含有してなる胃液分泌能検査剤。
【請求項１０】
（i）配列番号：１で表されるアミノ酸配列と７０％以上の相同性を有するアミノ酸配列を含有するポリペプチド、または（ii）配列番号：１で表されるアミノ酸配列中の１〜５個のアミノ酸が欠失、付加、挿入、もしくは置換されたアミノ酸配列を含有するポリペプチドであって、胃酸分泌促進作用を有するポリペプチドもしくはそのアミドもしくはそのエステルまたはその塩を含有してなる胃液分泌能検査剤。
【請求項１１】
配列番号：１で表されるアミノ酸配列と同一もしくは実質的に同一のアミノ酸配列を含有するポリペプチドもしくはそのアミドもしくはそのエステルまたはその塩の活性を促進する化合物またはその塩を含有してなる胃液分泌能検査剤。
【請求項１２】
（i）配列番号：１で表されるアミノ酸配列と同一もしくは実質的に同一のアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩を用いることを特徴とする上部消化管疾患の予防・治療剤のスクリーニング方法。
【請求項１３】
（i）配列番号：１で表されるアミノ酸配列と７０％以上の相同性を有するアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と７０％以上の相同性を有するアミノ酸配列を含有する蛋白質もしくはその部分ペプチドまたはその塩を用いることを特徴とする上部消化管疾患の予防・治療剤のスクリーニング方法。
【請求項１４】
（i）配列番号：１で表されるアミノ酸配列と同一もしくは実質的に同一のアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩を含有することを特徴とする上部消化管疾患の予防・治療剤のスクリーニング用キット。
【請求項１５】
（i）配列番号：１で表されるアミノ酸配列と同一もしくは実質的に同一のアミノ酸配列を含有するポリペプチドもしくはそのアミドもしくはそのエステルまたはその塩をコードするポリヌクレオチド、および（または）（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩をコードするポリヌクレオチドを用いることを特徴とする上部消化管疾患の予防・治療剤のスクリーニング方法。
【請求項１６】
（i）配列番号：１で表されるアミノ酸配列と同一もしくは実質的に同一のアミノ酸配列を含有するポリペプチドもしくはそのアミドもしくはそのエステルまたはその塩をコードするポリヌクレオチド、および（または）（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩をコードするポリヌクレオチドを含有することを特徴とする上部消化管疾患の予防・治療剤のスクリーニング用キット。
【請求項１７】
（i）配列番号：１で表されるアミノ酸配列と同一もしくは実質的に同一のアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩を用いることを特徴とする胃酸分泌抑制剤のスクリーニング方法。
【請求項１８】
（i）配列番号：１で表されるアミノ酸配列と７０％以上の相同性を有するアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と７０％以上の相同性を有するアミノ酸配列を含有する蛋白質もしくはその部分ペプチドまたはその塩を用いることを特徴とする胃酸分泌抑制剤のスクリーニング方法。
【請求項１９】
（i）配列番号：１で表されるアミノ酸配列と７０％以上の相同性を有するアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列を含有する蛋白質またはその塩を用いることを特徴とする胃酸分泌抑制剤のスクリーニング方法。
【請求項２０】
（i）配列番号：１で表されるアミノ酸配列と７０％以上の相同性を有するアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と７０％以上の相同性を有するアミノ酸配列を含有する蛋白質もしくはその部分ペプチドまたはその塩を含有することを特徴とする胃酸分泌抑制剤のスクリーニング用キット。
【請求項２１】
（i）配列番号：１で表されるアミノ酸配列と同一もしくは実質的に同一のアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩を用いることを特徴とする消化不良症、骨代謝障害または貧血症の予防・治療剤のスクリーニング方法。
【請求項２２】
（i）配列番号：１で表されるアミノ酸配列と同一もしくは実質的に同一のアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と同一もしくは実質的に同一のアミノ酸配列を含有する蛋白質もしくはその部分ペプチドまたはその塩を用いることを特徴とする胃酸分泌促進剤のスクリーニング方法。
【請求項２３】
（i）配列番号：１で表されるアミノ酸配列と７０％以上の相同性を有するアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と７０％以上の相同性を有するアミノ酸配列を含有する蛋白質もしくはその部分ペプチドまたはその塩を用いることを特徴とする胃酸分泌促進剤のスクリーニング方法。
【請求項２４】
（i）配列番号：１で表されるアミノ酸配列と７０％以上の相同性を有するアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列を含有する蛋白質またはその塩を用いることを特徴とする胃酸分泌促進剤のスクリーニング方法。
【請求項２５】
（i）配列番号：１で表されるアミノ酸配列と７０％以上の相同性を有するアミノ酸配列を含有するポリペプチドもしくはそのアミドもしくはそのエステルまたはその塩、および（または）（ii）配列番号：７３、配列番号：７５、配列番号：７７または配列番号：７９で表わされるアミノ酸配列と７０％以上の相同性を有するアミノ酸配列を含有する蛋白質もしくはその部分ペプチドまたはその塩を含有することを特徴とする胃酸分泌促進剤のスクリーニング用キット。
【請求項２６】
配列番号：１で表されるアミノ酸配列と同一もしくは実質的に同一のアミノ酸配列を含有するポリペプチドもしくはそのアミドもしくはそのエステルまたはその塩、または上記ポリペプチドもしくはそのアミドもしくはそのエステルまたはその塩の活性を促進する化合物またはその塩を用いることを特徴とする、胃液分泌能検査法。